(57)【要約】      （修正有）【課題】人工肛門パウチが排泄物を排泄後も完全に清掃されず、残渣が充満している内部を手の汚れや排出物の飛散が無く簡便確実で清潔に洗浄し、経済的な価格で提供する洗浄コネクターの提供。【解決手段】コネクター１は、人工肛門用パウチ排泄口を抱合するコネクターチューブに、開閉装置４を備えた注水孔２を設け、パウチに移行した注水の潤滑で内部を洗浄し排泄物を取捨する。さらに、コネクター洗浄用閉塞クリップ９を備え、コネクターとパウチの連鎖に、コネクター先端に切込み５で反転部を設け、内側に連結装置７を備えた。【選択図】図１
2008229283.tif 000002
【特許請求の範囲】
【請求項１】
人工肚門用パウチ排泄口を抱合するコネクターチューブに、開閉装置を備えた注水孔を設け、パウチに移行した注水の潤滑で内部を洗浄し排泄物を取捨するコネクター。
【請求項２】
可撓性板による注水孔標示と保持の装置を備えたコネクター。
【請求項３】
コネクターとパウチの連鎖に、コネクター先端に切込みで反転部を設け、内側に連結装置を備えたコネクター。
【請求項４】
洗浄用閉塞クリップを備えたコネクター。
【発明の詳細な説明】
【技術分野】
【０００１】人工肛門パウチの洗浄排泄コネクター。
【背景技術】
【０００２】人工肛門排泄物収容パウチは２枚の柔軟性樹脂シートを結合形成してなる袋体で、中央に排泄物を受容する開口が在り下辺に排出口が設けられ、排出口を面ファスナー又はクリップで開閉を管理している。【０００３】従来の人工肛門排泄物の排出操作は、パウチに蓄積された排泄物を手で絞り出し排出口より取捨すのが通常手法であるが、その排泄物の状態は泥状又は軟便状の排泄物が多く、軟便状は粘着が強くパウチ内部に付着し手の絞り出しでは、完全排出は不可能で残渣が充満し甚だ汚泥である。【０００４】然るにパウチの販売や医療案内の排出操作の説明は簡易で実態の具体的な表示は回避され、手絞りで完全美麗に排泄される如く表示されているものが多く、事実とは甚だ異なり汚濁物装着を強いられ、鈍感的な感覚で忍従することを必然としている。【０００５】
【特許文献１】  登録実用新案第３０９３９４４号
【特許文献２】  登録実用新案第３０１７３０８号
【特許文献３】  特開平８−１９６５６０号
【特許文献４】  ＵＳＰ  ３８２５００５号然しオストメイト或は関心者に於て、汚濁改善を図り各種の出願がなされている。
文献１のパウチ内洗浄装置は適切な良案であるが、汚物の洗浄にポンプで洗浄水を噴出させて洗い流す手法は、一見適切と思はれるが現実は噴出する汚濁水が予測のとうりに方向を定め目的場所に落着するとは限らず、手元が狂えば噴出される汚濁液はトイレ等に飛散し、パウチを美麗にして場所を汚す結果の恐れが有る。又、文献１に類似の機械装置が他にも在るが一般の家庭トイレは狭く設置は敬遠されるものである。
文献２及び文献３はドレインチューブであるが本案とは似て非なる物で、使用目的が全く異りパウチを用い無い洗腸用で、直接人体に装着しチューブ上端が開放され体内洗腸の温水注入口となり、洗腸液を流出するドレイン単一目的のチューブで、装着剤以外何等の装置も施こされて無いチューブである。
文献４の考案はパウチ排出物の放出チューブで有り、本案の目的とする水による蓄積物の洗浄の意図は無く、唯々排泄物を投棄場所へ送り届ける投棄チューブで洗浄意図が無い現実に、本案の重要課題とする注水口の装置は全く設けられて無い。
【発明の開示】
【発明が解決しようとする課題】
【０００６】本発明は排泄物を蓄積したパウチを人体に装着したまま、水の潤滑を利用して衛生的に排泄物の排出のみに留まらず汚泥残渣までも、手や衣服は勿論取捨場所をも汚すこと無く、洗浄清掃は安易な作業で行なわれ、使用者の汚濁忍従の精神的苦痛の解放を図り、清潔に洗浄されたパウチを経済的に装着を継続が可能とするものである。【０００７】最新の取捨投棄手段に２品系表記の装具が有り、パウチの台座を人体に残留し排泄物を袋に在中のまま、袋全体を投棄し新たな袋と交換する装具も採用されている。
この手法の２品系であっても台座面板から袋を取り外すと、面板周囲には残渣の付着が充溢しているが、前述説明等は紙や布で拭き取る等に説明されるが、事実は簡単容易では無く洗浄には難渋しているが、現在の装具機能に難渋を解消できる処置は無く、即ち人体に装着したパウチを自身の手動操作で洗浄できる機能を持つパウチは所在し無い。
【課題を解決するための手段】
【０００８】排泄物を蓄積したパウチから排泄物を取捨及び洗浄するのが何故難渋するのかを考察すると、主因はパウチ排泄口が装着感覚と装着位置の為に短くして有り、排出作業に必要な手動操作に余裕が無く同時に長さが不足し窮屈で有り、更に取捨投棄場所までに距離が在るので活発な作業が出来ないからである。又万一失敗すれば通常の失敗で無く大変悪臭を持った汚泥の飛散を恐れる心理が加わるものである。
【発明の効果】
【０００９】本発明の洗浄コネクターは、簡便な装置で高齢者であっても誰でも何処でも容易に操作ができるもので、水の潤滑を利用し排泄物の放出や残渣の清掃まで行い、手や衣服は勿論場所を汚すこと無く簡潔で清潔と確実な排出作業ができる、安価で経済負担の少ないものである。
【発明を実施するための最良の形態】
【００１０】本発明の実施の形態について、図面を参照しながら説明する。
【実施例】
【００１１】図１は本発明のコネクター立体正面図。
コネクター１はパウチ８の下部排泄口を抱合する口径で１ｍ前後の樹脂チューブ形状で、上端両側を切込み５で設けられる反転部６をもち、反転部６の内側に図面上透視表現で点線で表示された連結装置７を備え、連結装置７より適宜な位置に開閉機能をもつ注水孔２を設け、注水孔２の標示及び保持用の標示盤３と注水孔開閉装置４を備え、下辺に注水を自在に閉塞するクリップ９を備えている。【００１２】コネクター１は排泄投棄作業が余裕を以て行えるパウチ８排泄口の延長と、確実簡便に排出投棄が可能な身長の約半分の長さを備え、状況に適し採寸を行いパウチ８の排泄口と抱合し両面テープ機能で連結する。連結作業に対して反転部６は非常に重要で、仮に反転せずに連結装置７作業を施行すれば、パウチ８排泄口を抱合するコネクター１の口径は約８０ミリ前後と狭く、更に内側に設けられて在るので作業は窮屈となり接着剤の覆紙を剥離すると目的場所に接着以前に不必要箇所に誤着し混乱か発生する。その恐れを防備する重要対策に設けられるものである。【００１３】図２はコネクター側断面図。
コネクター１側面を断面し装置を説明する。コネクター１先端に適当な長さの切り込み５で外側に折れる反転部６を設け、図示反転部６上辺のコネクター１内側に連結装置７の両面テープを接着し、連結に当たり両面テープの覆紙を開らかれた場所と上辺で剥離し、連結するパウチ８の排泄口を抱合し適切な位置に接着し連鎖する。【００１４】連結装置７の下方適当な場所に口径が２０ミリ前後の注水孔２を設ける。透明樹脂系のコネクター１に設けられた注水孔２は、透明資材に空けられた孔は所在が不明確となり勝ちなので、孔に合置するカラー樹脂板を貼付して所在の明確を図り、樹脂板は同時に可撓性が有るので孔の浮揚保持に活用される標示盤３とする。【００１５】標示盤３で示された注水孔２を自在に開閉する開閉装置４は、標示盤３を覆う樹脂資材で裏面に接着剤を付けたシールで、注水は小型の先細口瓶等で行う。【００１６】図３はコネクターとパウチの連結実施図。
コネクター１にパウチ８排泄口を抱合連結した実施状態を示したもので、人体に装着されたパウチ８の排泄口を反転部６に在る連結装置７の両面テープ覆紙を剥離して接合し、注水口２を閉鎖しているシールを開口状態に開き、小型の瓶等で注水する。
注水口下辺に止水用閉塞クリップ９でコネクター１を閉塞し、注水された水の下方への流出を止め、コネクター１及びパウチ８排泄口をパウチ８の位置より上位に持ち上げて水を移行させ、パウチ８に流入した水を蓄積物に注ぎ外部から撹拌すると、水の潤滑で蓄積物は流動化し移動を安易にするので、適時にコネクター１の位置を下に降ろし閉塞クリップを開放しトイレ等に排出する。
残渣の在るときは再び注水し反復作業を行えば、パウチ８は水洗洗浄され美麗な状態となって継続して使用ができる。
洗浄作業が終了された後、パウチ８よりコネクター１を外し、コネクター１はポリ袋等に入れゴミ採集日に処分すれば洗浄は完了する。【００１７】本発明はパウチ使用者が長年排泄物排出後も、残渣の付着で汚泥に満ちたパウチを常時身体に装着している苦渋を、人体に装着したまま簡単容易に解消し、更に経済的に安価な費用で提供出来る実務的にも精神的にも多大な効果の有るものである。
【図面の簡単な説明】
【００１８】
【図１】  コネクター立体正面図。
【図２】  コネクター側断面図。
【図３】  コネクターとパウチの連結実施図。
【符号の説明】
【００１９】    １    コネクター              ６    反転部
２    注水孔                  ７    連結装置
３    標示盤                  ８    パウチ
４    開閉装置                ９    閉塞クリップ
５    切り込み
【図１】
2008229283.tif 000003
【図２】
2008229283.tif 000004
【図３】
2008229283.tif 000005